(57)【要約】【課題】光が全く無い環境下でも物体を撮像することができる撮像装置を提供する。【解決手段】撮像装置は、撮像筐体１と、撮像筐体１に配置し、撮像部２１および赤外線発射部２２を有する撮像アセンブリ２と、撮像アセンブリ２を覆うように撮像筐体１に配置され、撮像部２１に対応した撮像ウィンドウ３１と、赤外線発射部２２に対応した発射ウィンドウ３２と、を有する蓋体３とを備える。撮像部２１は、レンズ、光フィルタおよび感光素子を有する。光フィルタは、レンズと感光素子との間に設けられる。可視光線または所定波長の赤外線は、光フィルタを通過した後、感光素子に達する。【選択図】図１
0003155068.tif 000002
【実用新案登録請求の範囲】
【請求項１】
撮像筐体と、
前記撮像筐体に配置し、撮像部および赤外線発射部を有する撮像アセンブリと、
前記撮像アセンブリを覆うように前記撮像筐体に配置され、前記撮像部に対応した撮像ウィンドウと、前記赤外線発射部に対応した発射ウィンドウと、を有する蓋体と、を備え、
前記撮像部は、レンズ、光フィルタおよび感光素子を有し、前記光フィルタは、前記レンズと前記感光素子との間に設けられ、可視光線または所定波長の赤外線は、前記光フィルタを通過した後、前記感光素子に達することを特徴とする撮像装置。
【請求項２】
前記所定波長の赤外線は、波長８５０ｎｍの赤外線であることを特徴とする請求項１に記載の撮像装置。
【請求項３】
前記撮像筐体は、デジタルカメラ筐体またはデジタルビデオカメラ筐体であることを特徴とする請求項１に記載の撮像装置。
【請求項４】
前記撮像筐体は、デジタルカメラ筐体またはデジタルビデオカメラ筐体であることを特徴とする請求項２に記載の撮像装置。
【請求項５】
前記感光素子は、ＣＭＯＳまたはＣＣＤであることを特徴とする請求項１乃至４の何れか１項に記載の撮像装置。
【考案の詳細な説明】
【技術分野】
【０００１】
本考案は、撮像装置に関し、特に、暗い環境下で物体を撮像するために用いる撮像装置に関する。
【背景技術】
【０００２】
科学技術の進歩と人々の生活の向上に伴い、様々な携帯型電子機器が製造されている。なかでもデジタルカメラ、デジタルビデオカメラなどのデジタル撮像装置は、人々によく利用されている。一般にデジタル撮像装置は、光線が十分でない環境下でも物体を容易に撮像することができる。即ち、デジタル撮像装置は、薄暗い環境下でも補助光源（例えば、デジタルカメラ用のフラッシュランプ、デジタルビデオカメラ用の補助ランプなど）を利用することにより、撮像を行うことができる。しかし、従来のデジタル撮像装置は、光が全く無い環境下では物体を撮像することができなかった。
【０００３】
そのため、光が全く無い環境下でも物体を撮像することができる撮像装置が求められていた。
【考案の概要】
【考案が解決しようとする課題】
【０００４】
本考案の目的は、光が全く無い環境下でも物体を撮像することができる撮像装置を提供することにある。
【課題を解決するための手段】
【０００５】
上記課題を解決するために、本考案の第１の形態によれば、撮像筐体と、前記撮像筐体に配置し、撮像部および赤外線発射部を有する撮像アセンブリと、前記撮像アセンブリを覆うように前記撮像筐体に配置され、前記撮像部に対応した撮像ウィンドウと、前記赤外線発射部に対応した発射ウィンドウと、を有する蓋体と、を備え、前記撮像部は、レンズ、光フィルタおよび感光素子を有し、前記光フィルタは、前記レンズと前記感光素子との間に設けられ、可視光線または所定波長の赤外線は、前記光フィルタを通過した後、前記感光素子に達することを特徴とする撮像装置が提供される。
【０００６】
前記所定波長の赤外線は、波長８５０ｎｍの赤外線であることが好ましい。
【０００７】
前記撮像筐体は、デジタルカメラ筐体またはデジタルビデオカメラ筐体であることが好ましい。
【０００８】
前記撮像筐体は、デジタルカメラ筐体またはデジタルビデオカメラ筐体であることが好ましい。
【０００９】
前記感光素子は、ＣＭＯＳまたはＣＣＤであることが好ましい。
【考案の効果】
【００１０】
本考案の撮像装置は、光が全く無い環境下でも物体を撮像することができる。
【図面の簡単な説明】
【００１１】
【図１】本考案の一実施形態による撮像装置を示す分解斜視図である。
【図２】本考案の一実施形態による撮像装置を示す斜視図である。
【図３】本考案の一実施形態による感光素子を示す模式図である。
【図４】本考案の一実施形態による光フィルタの光信号図である。
【図５】本考案の一実施形態による撮像装置を示す斜視図である。
【考案を実施するための形態】
【００１２】
以下、本考案の実施形態について図に基づいて説明する。なお、これによって本考案が限定されるものではない。
【００１３】
図１は、本考案の一実施形態による撮像装置を示す分解斜視図である。図２は、本考案の一実施形態による撮像装置を示す斜視図である。図３は、本考案の一実施形態による感光素子を示す模式図である。図１〜図３に示すように、本実施形態による撮像装置は、撮像筐体１、撮像アセンブリ２および蓋体３を含む。本実施形態の撮像筐体１は、デジタルビデオカメラ筐体である。撮像アセンブリ２は、撮像筐体１に設けられ、撮像部２１および赤外線発射部２２を有する。撮像部２１は、レンズ２１１、光フィルタ２１２および感光素子２１３を有する。光フィルタ２１２は、レンズ２１１と感光素子２１３との間に設けられ、光線がある環境下では、可視光線が光フィルタ２１２を通過した後、感光素子２１３に達する。光が全く無い環境下では、所定の波長を有する赤外線は、光フィルタ２１２を通過して感光素子２１３に達する。蓋体３は、撮像アセンブリ２を覆うように撮像筐体１に配置され、撮像ウィンドウ３１および発射ウィンドウ３２を有する。撮像ウィンドウ３１は撮像部２１に対応し、発射ウィンドウ３２は赤外線発射部２２に対応する。
【００１４】
上述の所定波長の赤外線とは、波長８５０ｎｍの赤外線であるが、必要に応じて、波長７６０ｎｍまたは９５０ｎｍの赤外線にしてもよい。
【００１５】
感光素子２１３は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）またはＣＣＤ（Ｃｈａｒｇｅ  Ｃｏｕｐｌｅｄ  Ｄｅｖｉｃｅ）である。感光素子２１３は、小体積、高速反応の特性を備えるため、本実施形態の撮像装置構造の体積を小さくしてフォーカス合焦時間を短くすることができる上、後続処理を行うのに都合が良いように、撮像した画像をデジタル処理することができる。
【００１６】
一般に、光線波長２００ｎｍ〜４００ｎｍは紫外線の帯域に属し、光線波長４００ｎｍ〜７５０ｎｍは可視光線の帯域に属し、光線波長７５０ｎｍ〜４０００ｎｍは赤外線の帯域に属する。図４は、本考案の一実施形態による光フィルタの光信号図である。図４に示すように、本実施形態による撮像装置構造の光フィルタ２１２は、波長が４００ｎｍ〜７５０ｎｍの可視光線と、波長が８５０ｎｍの赤外線とを通過させる。さらに、図１〜図３に示すように、本実施形態は、光がある環境下で物体を撮像する場合（図示せず）、撮像物体から反射した可視光線（波長４００ｎｍ〜７５０ｎｍ）が撮像ウィンドウ３１およびレンズ２１１に通過した後、光フィルタ２１２を通って感光素子２１３に達すると、後続処理が可能なように、撮像した画像をデジタル処理して撮像筐体１へ提供する。本実施形態の撮像装置は、光が全く無い環境下で使用して物体を撮像する場合、まず、赤外線発射部２２から発射された赤外線（波長７５０ｎｍ〜４０００ｎｍ）が、発射ウィンドウ３２を通って物体に照射され、撮像対象である物体から反射された赤外線が、撮像ウィンドウ３１およびレンズ２１１を通過してから、波長８５０ｎｍの赤外線が光フィルタ２１２を通って感光素子２１３に達する。これにより、感光素子２１３が撮像した画像のデジタル処理を行い、撮像筐体１へ提供して後続処理を行うことができる。
【００１７】
図５を参照する。図５は、本考案の一実施形態による撮像装置を示す斜視図である。図５に示すように、本実施形態の撮像装置である撮像筐体４はデジタルカメラ筐体にしてもよい。この撮像筐体４の作動原理は、光がある環境下や光がない環境下でも上述の実施形態と同じであるため、ここでは繰り返して述べない。
【００１８】
上述したように、本考案の撮像装置は、光フィルタおよび赤外線発射部を利用し、光フィルタに所定波長の赤外線を通過させることにより、光線が無い環境下でも物体を撮像することができる。
【００１９】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２０】
１  撮像筐体
２  撮像アセンブリ
３  蓋体
４  撮像筐体
２１  撮像部
２２  赤外線発射部
３１  撮像ウィンドウ
３２  発射ウィンドウ
２１１  レンズ
２１２  光フィルタ
２１３  感光素子
【図１】
0003155068.tif 000003
【図２】
0003155068.tif 000004
【図３】
0003155068.tif 000005
【図４】
0003155068.tif 000006
【図５】
0003155068.tif 000007